(57)【要約】【課題】  電源をオンすると同時に放送番組の映像を視聴でき、オンスクリーン操作を行うことができるプロジェクタ装置システムを提供する。【解決手段】放送番組内容をプロジェクタ装置２とこのプロジェクタ装置２とは異なる構成の他の表示装置５で同時に受信し、制御部６を用いて、プロジェクタ装置３の光源７の明るさが定常状態になって視聴可能となるまでの間、他の表示装置５で放送番組内容を視聴できるようにしたので、光源７の電源をオンすると同時に放送番組内容の映像を視聴でき、オンスクリーン操作を行うことができる。【選択図】      図１
2007028483.tif 000002
【特許請求の範囲】
【請求項１】
放送番組内容を同時に受信可能な光学的にスクリーンに投射するプロジェクタ装置と前記プロジェクタ装置とは異なる構成の他の表示装置とを備え、前記プロジェクタ装置の光源の明るさが定常状態になって視聴可能となるまでの間、前記他の表示装置で前記放送番組内容を視聴するプロジェクタ装置システムにおいて、
前記プロジェクタ装置の電源をオンすると同時に前記他の表示装置の電源をオンし、前記プロジェクタの電源がオンされた時刻からカウントして前記プロジェクタの光源の明るさが定常状態になった後、前記他の表示装置への前記放送番組内容の表示を停止させて、前記プロジェクタ装置のみに前記放送番組内容を表示させる制御部を備えたことを特徴とするプロジェクタ装置システム。
【発明の詳細な説明】
【技術分野】
【０００１】
本発明は、プロジェクタ装置システムに係り、プロジェクタ装置の電源をオンしてから光源が定常状態になるまでの間の視聴できない番組を電源のオンと同時に視聴できるプロジェクタ装置システムに関するものである。
【背景技術】
【０００２】
ディジタル放送受信装置を内蔵し、放送番組映像に重ねてユーザの操作性向上のためのＧＵＩ（グラフィック・ユーザ・インターフェース）によりオンスクリーン表示させてブラウン管方式の表示部よりも大型な表示部に投射するプロジェクタ装置が商品化されている。
【０００３】
このようなプロジェクタ装置は、特許文献１に記載されている。即ち、特許文献１には、コンピュータやビデオカメラから映像信号が出力されると、光源が自動的にオンして画像が表示部に表示されるプロジェクタ装置が記載されている。
【特許文献１】特開２００１−１３３８８０号公報
【発明の開示】
【発明が解決しようとする課題】
【０００４】
ところで、放送番組の録画予約は、オンスクリーン上に表示されるＥＰＧ（番組表）を見ながら行うのが一般的である。
プロジェクタ装置の電源をオンして、光源の明るさが定常状態になって放送番組の映像を表示させるまでには、略３０秒ほどの時間を必要とする。このため、電源をオンしたと同時に、放送番組の映像を視聴しようとした時に放送番組の映像を始めから視聴できなかったり、また、スクリーン上にＥＰＧを表示させた状態での、オンスクリーン操作ができなかった。
【０００５】
そこで本発明は、上記問題を解決するべく、電源をオンすると同時に放送番組の映像を視聴でき、オンスクリーン操作を行うことができるプロジェクタ装置システムを提供することを目的とするものである。
【課題を解決するための手段】
【０００６】
上記目的を達成するための手段として、本発明は、放送番組内容を同時に受信可能な光学的にスクリーンに投射するプロジェクタ装置と前記プロジェクタ装置とは異なる構成の他の表示装置とを備え、前記プロジェクタ装置の光源の明るさが定常状態になって視聴可能となるまでの間、前記他の表示装置で前記放送番組内容を視聴するプロジェクタ装置システムにおいて、前記プロジェクタ装置の電源をオンすると同時に前記他の表示装置の電源をオンし、前記プロジェクタの電源がオンされた時刻からカウントして前記プロジェクタの光源の明るさが定常状態になった後、前記他の表示装置への前記放送番組内容の表示を停止させて、前記プロジェクタ装置のみに前記放送番組内容を表示させる制御部を備えたことを特徴とするプロジェクタ装置システムを提供する。
【発明の効果】
【０００７】
本発明によれば、プロジェクタ装置の電源をオンして、プロジェクタ装置の光源の明るさが定常状態になるまでの間は他の表示装置に放送番組内容を表示させ、定常状態になった後は、プロジェクタ装置に表示させるようにしている制御部を備えているので、電源をオンすると同時に放送番組の映像を視聴でき、オンスクリーン操作を行うことができる。
【発明を実施するための最良の形態】
【０００８】
以下、本発明の実施の形態につき、好ましい実施例により、図面を参照して説明する。
【実施例】
【０００９】
図１は、本発明のプロジェクタ装置システムの実施例のブロック図である。
図２は、本発明の実施例のプロジェクタ装置システムの動作方法を示すフローチャートである。
図１に示すように、本発明の実施例のプロジェクタ装置システム１は、プロジェクタ装置２と、複数の放送局から符号化されて送信されてくるディジタル放送番組内容を受信する受信部３と、ディジタル放送番組の復号化処理を行う映像処理部４と、他の表示装置５と、リモコンＱからの指示信号或いは受信部３で受信されたメニュー内容に基づいてプロジェクタ装置２、映像処理部４及び他の表示装置５への制御を行うマイコン制御部６と、から構成されている。また、マイコン制御部６は、光源点灯時間カウンタ６Ａを有している。
【００１０】
プロジェクタ装置２は、投射光を出射する光源７と、光学レンズ部８と、光源制御部９と、から構成されている。
光学レンズ部８は、光源７から出射された投射光を入力される映像信号に基づいて変調してスクリーンＰに投射する。光源制御部９は、光源７の点灯・消灯の制御を行う。
【００１１】
映像処理部４は、映像デコード部１０と、オンスクリ−ン合成部１１と、から構成されている。
映像デコード部１０は、受信部３で受信された符号化されて送信されてくるディジタル放送番組内容を復号化して映像信号を出力する。
オンスクリーン合成部１１は、マイコン制御部６を介してリモコンＱからの指示信号により表示されるＥＰＧの内容等と映像デコード部１０から出力される映像信号とを合成した合成映像信号を光学レンズ部８及び他の表示装置５に出力する。
【００１２】
他の表示装置５は、プロジェクタ装置２とは異なる構成を有しており、液晶駆動回路１２と、液晶ディスプレイ１３と、から構成されている。この他の表示装置５としては、有機ＥＬ方式表示装置、ＣＲＴ方式表示装置、プラズマ方式表示装置がある。
液晶駆動回路１２は、オンスクリーン合成部１１から出力された合成映像信号を液晶ディスプレイ１３に表示させる。
【００１３】
また、光学レンズ部８では、オンスクリーン合成部１１から出力された合成映像信号に基づいて変調された投射光もスクリーンＰに表示させる。
【００１４】
次に、プロジェクタ装置システムの動作について図２を用いて説明する。
ここでは、プロジェクタ装置２の電源はオンされ、プロジェクタ装置２の電源をオンしてから光源７の明るさが一定になるまでの時間を３０秒とする。
ステップ１にて、リモコンＱのいずれかのキーが押されたか否かをマイコン制御部６で判断する。リモコンＱのいずれかのキーが押された場合には、ステップ２にて、押されたキーがプロジェクタ装置２の光源７を点灯する点灯キーか否かを判断する。ステップ３にて、押されたキーが点灯キーである場合には、光源制御部９に光源７を点灯させる指示信号を送り、光源７を点灯して、光学レンズ部８を介して投射光をスクリーンＰに投射する。
【００１５】
ステップ４にて、マイコン制御部６の光源点灯時間カウンタ６Ａをリセットする。ステップ５にて、他の表示装置５の液晶駆動回路１２の電源をオンして、映像処理部４のオンスクリーン合成部１１から出力される合成映像信号を液晶ディスプレイ１３に表示可能にする。ステップ２で押されたキーが光源７の点灯キーでない場合には、ステップ６にて、光源７を点灯する以外のＥＰＧによる番組メニュー選択等の動作を行わせる。
【００１６】
この後は、ステップ１に戻り、リモコンＱのキーのいずれも押されなかった場合と同様の動作を行わせる。
即ち、ステップ７にて、光源７の電源をオンしてプロジェクタ装置２のスクリーンＰに表示させる場合に、光源７の電源をオンした時刻からの時間をマイコン制御部６の光源点灯時間カウンタ６Ａでインクリメントしてカウントする。
ステップ８にて、光源点灯時間カウンタ６Ａのカウント開始から３０秒間経過しているか否かを判断する。
【００１７】
ステップ９にて、カウント開始から３０秒間経過していた場合には、マイコン制御部６から制御信号を出力して、液晶駆動回路１２の電源をオフして、他の表示装置５の液晶ディスプレイ１３へ映像信号を出力することを停止する。そして、液晶プロジェクタ装置２のスクリーンＰ上にのみ放送番組内容及びＥＰＧ等の表示を行う。ステップ１０にて、カウント開始から３０秒間経過していない場合には、他の表示装置５の液晶駆動回路１２の電源をオン・オフに関わらず、プロジェクタ装置２を通常操作する。
【００１８】
以上のように、制御部６を用いて、プロジェクタ装置３の光源７の明るさが定常状態になるまでの間、他の表示装置５の液晶ディスプレイ１３に合成映像信号による映像表示を行うようにしたので、プロジェクタ装置２の電源をオンすると同時に放送番組内容の映像を視聴でき、オンスクリーン操作を行うことができる。
なお、光源７の明るさが一定なるまでの時間を３０秒間として、カウント開始から３０秒経過した後、他の表示部５の液晶駆動回路１２をオフしたが、これ以上の時間設定にすれば、プロジェクタ装置２で十分な表示ができると同時に液晶駆動回路１２がオフされないので、ＥＰＧのメニュー等のオンスクリーン操作を落ち着いてすることができる。
【図面の簡単な説明】
【００１９】
【図１】本発明のプロジェクタ装置システムの実施例のブロック図である。
【図２】本発明の実施例のプロジェクタ装置システムの動作方法を示すフローチャートである。
【符号の説明】
【００２０】
１…プロジェクタ装置システム、２…プロジェクタ装置、３…受信部、４…映像処理部、５…他の表示装置、６…マイコン制御部、７…光源、８…光学レンズ部、９…光源制御部、９Ａ…光源点灯時間カウンタ、１０…映像デコード部、１１…オンスクリーン合成部、１２…液晶駆動回路、１３…液晶ディスプレイ、Ｐ…スクリーン、Ｑ…リモコン
【図１】
2007028483.tif 000003
【図２】
2007028483.tif 000004